(57)【要約】【課題】コポジットや色差やゲームやＨＤＭＩ等の多数の入力を持つ映像表示装置において、固定された入力信号切換順番で入力信号の切換を行った場合、入力信号切換順番が後になればなるほど、求める信号に切換えるまでの操作の回数が増える。【解決手段】入力信号を信号の種類にグループ分けし、グループを入れ換え、入力信号切換手順を減らすよう、入力信号切換の順番を変えることにより、求める信号に切換えるまでの操作の回数を最小限にすることができる。【選択図】図２
2006262085.tif 000002
【特許請求の範囲】
【請求項１】
第１の入力信号に対する第１の端子群と、
第２の入力信号に対する第２の端子群と、
前記入力信号の前記端子群の順番を切換える入力順番切換手段と、
前記入力信号の前記端子群の順番を記憶する記憶手段と、
入力信号を、前記入力順番切換手段で前記端子群の順番を入れ換え記憶手段で記憶することにより、入力切換手順を減らし、信号切換の順番を可変である映像表示装置。
【発明の詳細な説明】
【技術分野】
【０００１】
テレビ、映像再生機器、セレクターのような、入力手段、選択手段、出力手段からなる映像表示装置
【背景技術】
【０００２】
複数の映像音声入力端子付きテレビに、録画再生機器を接続した場合、目的の映像を表示するまで、入力切換操作を行っていた。入力の数が増えるにつれ、入力切換操作の数も増加してきた。
【０００３】
映像音声入力端子付きテレビの初期は、端子数も１つないし２つ程度で、入力される信号の種類も１つないし２つ程度であった。しかし、現在のＴＶには多いもので、５種類で１０の入力端子の信号が入力可能な状態である。入力切換の操作方法として、入力切換ボタンを押すたびに、決められた順番に従い入力が切り替わる方法がある。この方法の場合、入力の少ないＴＶでは、目的の映像に切換える際、入力切換ボタン操作の回数も少なく問題とはならなかった。しかし、入力の多いテレビで入力切換順番が後の方になるほど、入力切換ボタン操作が多くなり、切換えにかかる手間と、時間が増加している。
【０００４】
そこで、入力切換ボタンの回数を押す回数を最小限にする手段として、入力端子からの入力を有効または無効を選択する機能を用いたものがある。（特許文献１参照）。下記は、従来例に開示された入力切換ボタンの回数を押す回数を最小限にするＡＶ機器を示す。
【０００５】
図１は、入出力端子の順次切換えが可能なＡＶ機器であって、入出力端子の切換え有効／無効を設定したデータを保持する端子データレジスタを設け、このデータに基づいてＣＰＵ１０９は、切換え無効とされた入出力端子に対しては切換えを行わないように切換選択部１０１を制御するとともに、これに伴う映像ソース表示制御を行うように構成され、未使用の入出力端子に対する順次切換えが省略されて、入力端子に接続された映像／音声ソースのみの順次切換えが行われるので、この際のキー操作回数が必要最小限で済むため使用感が向上する。また、切換え有効／無効の設定をサービスモードで可能とし、同一基板・シャーシ等を利用している機種に対応した入出力端子関係の機能設定を行えば、最小限のコストにより機種のバリエーションを得ることができるものである。
【特許文献１】特開平７−１４７６５４号公報
【発明の開示】
【発明が解決しようとする課題】
【０００６】
しかしながら、上記構成では、映像を切換える作業において、無効になった入力信号に関してスキップされるが、入力信号切換の順番が固定されていて、ユーザーの希望通りの順番に入力信号切換順番を設定変更できないという課題があった。
【課題を解決するための手段】
【０００７】
本願第１の発明の映像表示装置は、第１の入力信号に対する第１の端子群と、第２の入力信号に対する第２の端子群と、前記入力信号の前記端子群の順番を切換える入力順番切換手段と、前記入力信号の前記端子群の順番を記憶する記憶手段と、入力信号を、前記入力順番切換手段で前記端子群の順番を入れ換え記憶手段で記憶することにより、入力切換手順を減らし、信号切換の順番を可変である。
【発明の効果】
【０００８】
入力信号を信号の種類にグループ分けし、グループを入れ換え、入力信号切換手順を減らすよう、入力信号切換の順番を変えることにより、求める信号に切換えるまでの操作の回数を最小限にすることができる。
【発明を実施するための最良の形態】
【０００９】
以下本発明を実施するための最良の形態について、図面を参照しながら説明する。
【００１０】
（実施の形態１）
図２を用いて、実施の形態１の映像表示装置の構成を示す。図２において、入力信号切換手段２０１にはコンポジット１の入力端子２０２、コンポジット２の入力端子２０３、コンポジット１の入力端子２０４、色差１の入力端子２０５、色差２の入力端子２０６、ｉＬＩＮＫの入力端子２０７、ＰＣの入力端子２０８及びＨＤＭＩの入力端子２０９が有り、それぞれに機器が接続されている。入力切換信号２１０がＣＰＵ２１１に入ると、切換順番記憶手段２１４の記憶された情報を基に入力信号切換手段２０１から入力信号を読み出し、出力手段２１５に入力信号を表示する。また、入力設定信号が入力されると、切換順番記憶手段２１４から入力信号切換順番を呼び出し、ＯＳＤ生成手段２１３によりＯＳＤが生成され、出力手段２１５に出力される。入力信号切換順番を変更後は切換順番記憶手段に記憶され、以後、その切換順番が採用される。
【００１１】
次に、入力信号切換の順番をユーザーの希望通りに変える場合について、図３、図４及び図５を用いて説明する。図３は設定変更前の入力信号切換順番を示した図、図４は設定変更後の入力信号切換順番を示した図である。図５は図３の順番から図４の順番に切り換える際のフローチャートを示す。
【００１２】
図５において、まず、ユーザーがメニューボタンを押し（Ｓ５０１）、ディスプレイ上にメニューのＯＳＤを表示させる（Ｓ５０２）。表示されたメニューの中から入力信号切換順番の項目を選び（Ｓ５０３）、現在の設定状態のＯＳＤをディスプレイ上に表示させる（Ｓ５０４）。設定を変更しない場合は、「変更しない」を選び終了する。設定変更する場合は、「設定変更する」を選び、順位付けの高い入力項目群から順に入力信号切換順番を決定し、記憶する（Ｓ５０５，Ｓ５０６，Ｓ５０７）。
【００１３】
かかる、構成によれば、入力信号を信号の種類にグループ分けし、グループを入れ換え、入力信号切換手順を減らすよう、入力信号切換の順番を変えることにより、求める信号に切換えるまでの操作の回数を最小限にすることができる。
【００１４】
なお、当発明においては、映像表示装置を例に記載しているが、映像表示装置に限られたものではなく、複数の入力端子及び表示手段をもつ装置であればよい。
【産業上の利用可能性】
【００１５】
本発明にかかる映像表示装置は、ユーザーの希望通りの順番に入力信号切換順番を設定変更が可能になるので、入力手段、選択手段、出力手段からなる表示装置等として有用である。
【図面の簡単な説明】
【００１６】
【図１】従来の映像表示装置のブロック図
【図２】本発明の実施の形態１における映像表示装置ブロック図
【図３】本発明の実施の形態１における変更前の入力信号切換順番の一例を示す図
【図４】本発明の実施の形態１における変更後の入力信号切換順番の一例を示す図
【図５】本発明の実施の形態１における入力信号切換順番変更のフローチャート
【符号の説明】
【００１７】
１０１    切換選択部
１０２    入力端子
１０３    入力端子
１０４    入力端子
１０５    入力端子
１０６    入力端子
１０７    入力端子
１０８    入力端子
１０９    ＣＰＵ
１１０    端子データレジスタ
１１１    リモコン受信部
１１２    リモコン
１１３    キャラクタージェネレーター
１１４    ＯＳＤボード
１１５    映像／音声信号処理回路
１１６    ＲＧＢアンプ
１１７    ＣＲＴ
１１８    音声アンプ
１１９    スピーカ
２０１    切換選択手段
２０２    入力端子
２０３    入力端子
２０４    入力端子
２０５    入力端子
２０６    入力端子
２０７    入力端子
２０８    入力端子
２０９    入力端子
２１０    入力切換信号
２１１    ＣＰＵ
２１２    入力設定信号
２１３    ＯＳＤ生成手段
２１４    切換順番記憶手段
２１５    出力手段
【図１】
2006262085.tif 000003
【図２】
2006262085.tif 000004
【図３】
2006262085.tif 000005
【図４】
2006262085.tif 000006
【図５】
2006262085.tif 000007